(57)【要約】【目的】  角形鋼管材のみを使用し、溶接作業を一切行なわず、角形鋼管材にプレス加工を施して製作することによって、品質や精度にバラツキがなく、先端部での十分な強度を確保でき、量産が可能な建築用連結材を提供する。【解決手段】  角形鋼管材からなる連結材本体２の端部がプレス加工により圧潰されて、連結材本体２の互いに対向する２対の平面壁部２ａ，２ａ及び２ｂ，２ｂのうち何れか一対の平面壁部２ｂ，２ｂと平行な圧潰扁平部３が連結材本体２の端部に形成され、この圧潰扁平部３に接合用のボルト挿通孔６が設けられている。【選択図】図１
2005097832.tif 000002
【特許請求の範囲】
【請求項１】
角形鋼管材からなる連結材本体の端部がプレス加工により圧潰されて、当該連結材本体の互いに対向する２対の平面壁部のうち何れか一対の平面壁部と平行な圧潰扁平部が連結材本体の端部に形成され、この圧潰扁平部に接合用のボルト挿通孔が設けられてなる建築用連結材。
【請求項２】
前記連結材本体の圧潰扁平部とその手前側の非圧潰部分との境界部分には補強用リブが形成されてなる請求項１に記載の建築用連結材。
【請求項３】
前記圧潰扁平部は、角形鋼管材からなる連結材本体の軸芯を通って何れかの平面壁部と平行に形成されてなる請求項１又は２に記載の建築用連結材。
【請求項４】
前記圧潰扁平部は、角形鋼管材からなる連結材本体の軸芯に対し偏心した位置で何れかの平面壁部と平行に形成されてなる請求項１又は２に記載の建築用連結材。
【請求項５】
断面長方形の角形鋼管材からなる連結材本体である場合に、前記圧潰扁平部は、当該連結材本体の相対向する２対の平面壁部のうち断面長方形の長辺側の一対の平面壁部と平行に形成されてなる請求項１〜４の何れかに記載の建築用連結材。
【請求項６】
断面長方形の角形鋼管材からなる連結材本体である場合に、前記圧潰扁平部は、当該連結材本体の相対向する２対の平面壁部のうち断面長方形の短辺側の一対の平面壁部と平行に形成されてなる請求項１〜４の何れかに記載の建築用連結材。
【請求項７】
角形鋼管材からなる連結材本体の両端部に夫々圧潰扁平部が形成されたものにおいては、両圧潰扁平部は平行に形成されている請求項１〜６の何れかに記載の建築用連結材。
【請求項８】
角形鋼管材からなる連結材本体の両端部に夫々圧潰扁平部が形成されたものにおいては、両圧潰扁平部は互いに９０度位相がずれている請求項１〜６の何れかに記載の建築用連結材。
【発明の詳細な説明】
【技術分野】
【０００１】
本発明は、鉄骨構造建物において、相対向する柱材の下端部同士をつなぐ柱脚つなぎなどに使用される建築用連結材に関するものである。
【背景技術】
【０００２】
図１０において、１０は鉄骨構造建物の角形鋼管製の柱材で、コンクリート基礎１２上に取付ベース１３を介して立設されている。１４は相対向する柱材１０間に架け渡されるブレースで、このブレース１４の一端部が、柱材１０の下端部に取り付けられたガセットプレート１５にボルト１６止めされるようになっている。１７は相対向する柱材１０の下端部同士をつなぐ従来の柱脚つなぎで、一端部が前記ブレース１４の一端部１４ａと共にガセットプレート１５にボルト１６止めされる。この柱脚つなぎ１７は、図１１の（Ａ）にも示すように、角形鋼管材からなる筒状本体１７ａの開口端面に鋼板製の塞ぎ板１７ｂを溶接し、この塞ぎ板１７ｂに鋼板製連結板片１７ｃをＴ字状に突出するように溶接したもので、連結板片１７ｃには連結用ボルト挿通孔１７ｏが設けてある。
【発明の開示】
【発明が解決しようとする課題】
【０００３】
上記のような従来の柱脚つなぎ１７では、溶接によって製作されることから、溶接部の管理と検査が必要となる上、溶接作業者の技能や作業環境に左右されるため品質や精度にバラツキが大きく、また角形鋼管材などにプレメッキ品を使用した場合にはメッキ部分が焼損するため錆止め補修が必要となって後作業に非常な手間がかかり、製作費が高くつく。また先端部の鋼板製連結板片１７ｃは、角形鋼管材からなる筒状本体１７ａに比べて断面性能が小さく、圧縮荷重に対して連結板片１７ｃでの座屈変形が生じるため、使用する鋼板も板厚の厚いものが必要となって、製品のコストアップにつながる。また、図１１の（Ｂ）に示すように、丸形鋼管材からなる筒状本体１８ａの端部１８ｂに連結板片１８ｃを溶接した柱脚つなぎ１８が従来提案されているが、丸形鋼管材の先端部に溶接するため、引っ張り及び圧縮荷重に対し、管材の断面変形が生じないように変形防止の対策を講じる必要があるなど、製作が非常に面倒になる。また、部材の加工及び溶接形状が複雑なため溶接の自動化が図り難い。
【０００４】
本発明は、上記のような課題に鑑み、角形鋼管材のみを使用し、溶接作業を一切行なわず、角形鋼管材にプレス加工を施して製作することによって、品質や精度にバラツキがなく、先端部での十分な強度を確保でき、量産が可能な建築用連結材を提供することを目的とする。
【課題を解決するための手段】
【０００５】
請求項１に係る発明の建築用連結材は、角形鋼管材からなる連結材本体２の端部がプレス加工により圧潰されて、当該連結材本体２の互いに対向する２対の平面壁部２ａ，２ａ及び２ｂ，２ｂのうち何れか一対の平面壁部２ｂ，２ｂと平行な圧潰扁平部３が連結材本体２の端部に形成され、この圧潰扁平部３に接合用のボルト挿通孔６が設けられてなることを特徴とする。
【０００６】
請求項２は、請求項１に記載の建築用連結材において、前記連結材本体２の圧潰扁平部３とその手前側の非圧潰部分との境界部分には補強用リブ４，４又は５，５が形成されてなることを特徴とする。
【０００７】
請求項３は、請求項１又は２に記載の建築用連結材において、前記圧潰扁平部３は、角形鋼管材からなる連結材本体２の軸芯Ｏを通って何れかの平面壁部２ｂ，２ｂと平行に形成されてなることを特徴とする。
【０００８】
請求項４は、請求項１又は２に記載の建築用連結材において、前記圧潰扁平部３は、角形鋼管材からなる連結材本体２の軸芯Ｏに対し偏心した位置で何れかの平面壁部２ｂ，２ｂと平行に形成されてなることを特徴とする。
【０００９】
請求項５は、請求項１〜４の何れかに記載の建築用連結材において、断面長方形の角形鋼管材からなる連結材本体２である場合に、前記圧潰扁平部３は、当該連結材本体２の相対向する２対の平面壁部２ａ，２ａ及び２ｂ，２ｂのうち断面長方形の長辺側の一対の平面壁部２ｂ，２ｂと平行に形成されてなることを特徴とする。
【００１０】
請求項６は、請求項１〜４の何れかに記載の建築用連結材において、断面長方形の角形鋼管材からなる連結材本体２である場合に、前記圧潰扁平部３は、当該連結材本体２の相対向する２対の平面壁部２ａ，２ａ及び２ｂ，２ｂのうち断面長方形の短辺側の一対の平面壁部２ａ，２ａと平行に形成されてなることを特徴とする。
【００１１】
請求項７は、請求項１〜６の何れかに記載の建築用連結材において、角形鋼管材からなる連結材本体２の両端部に夫々圧潰扁平部３が形成されたものにおいては、両圧潰扁平部３，３は平行に形成されていることを特徴とする。
【００１２】
請求項８は、請求項１〜６の何れかに記載の建築用連結材において、角形鋼管材からなる連結材本体２の両端部に夫々圧潰扁平部３が形成されたものにおいては、両圧潰扁平部３，３は互いに９０度位相がずれていることを特徴とする。
【発明の効果】
【００１３】
請求項１に係る発明の建築用連結材は、角形鋼管材からなる連結材本体の端部がプレス加工により圧潰成形されることによって、連結材本体の互いに対向する２対の平面壁部のうち何れか一対の平面壁部と平行な圧潰扁平部が連結材本体の端部に形成されたもので、この連結材を製作するのに、溶接作業を行なう必要がなく、プレス金型の使用によって常に同じ形状の連結材製品を作製できるから、品質の安定及び精度の向上を図ることができと共に、プレス加工の自動化によって大幅なコストの削減が可能となる。
【００１４】
また製作にあたって溶接作業を行なわないから、角形鋼管材としてプレメッキ品を使用でき、それにより錆止め塗装を省略でき、作業工程の簡略化を図って、コストの低減化を図ることができる。また、溶接作業が省けることから、作業環境の改善を図ることができると共に、建築用連結材の品質精度の安定と向上を図ることができる。
【００１５】
また、この発明の建築用連結材では丸形鋼管材を使用せず、敢えて角形鋼管材を用いるのは、丸形鋼管材と角形鋼管材とが同じ断面積を有するものとした場合、丸形鋼管材よりも角形鋼管材の方が連結材本体の幅を狭くすることができるからである。これは、連結材をスペースが制約された壁内に納める時に、連結材本体の幅が広いと、その壁内に納まらない場合が生じるため、連結材本体の幅はできるだけ狭い方がよいからである。
【００１６】
請求項２に係る発明の建築用連結材によれば、連結材本体の圧潰扁平部とその手前側の非圧潰部分との境界部分に補強用リブが一体に形成されているから、連結材の使用に際して連結材本体に圧縮力が作用する時、上記境界部分での強度の低下を防止でき、その境界部分での座屈変形を防止できる。
【００１７】
前記圧潰扁平部は、請求項３に記載のように、角形鋼管材からなる連結材本体の軸芯を通って何れかの平面壁部と平行に形成されてもよいし、また請求項４に記載のように、角形鋼管材からなる連結材本体の軸芯に対し偏心した位置で何れかの平面壁部と平行に形成されてもよい。圧潰扁平部を連結材本体の軸芯に対し偏心して形成すれば、脚柱つなぎなどとして使用する場合に、柱材間での納まりを良くすることができる。
【００１８】
また連結材本体が断面長方形の角形鋼管材からなる場合、前記圧潰扁平部は、請求項５に記載のように、当該連結材本体の相対向する２対の平面壁部のうち断面長方形の長辺側の一対の平面壁部と平行に形成されてもよいし、請求項６に記載のように、連結材本体の相対向する２対の平面壁部のうち断面長方形の短辺側の一対の平面壁部と平行に形成されてもよい。
【００１９】
また、前記圧潰扁平部が角形鋼管材からなる連結材本体の両端部に形成される場合には、請求項７に記載のように両圧潰扁平部は平行に形成されてもよいし、あるいは請求項８に記載のように、両圧潰扁平部を互いに９０度位相がずれるように形成してもよい。
【発明を実施するための最良の形態】
【００２０】
図１は本発明に係る建築用連結材１の一端部側を示す一部断面斜視図、図２の（Ａ）は図１の矢印イから見た同建築用連結材１の一端部側の平面図、（Ｂ）は図１のロ−ロ線断面図、（Ｃ）は図１のハ−ハ線断面図、（Ｄ）は図１のニ−ニ線断面図であり、図３は同建築用連結材１の全体を示す平面図である。以下に、建築用連結材１の詳細な構造について説明する。
【００２１】
これらの図を参照すると、本発明に係る建築用連結材１は、断面が長方形の角形鋼管材によって一体に形成されたもので、この角形鋼管材からなる連結材本体２の両端部が、金型を使用したプレス加工により圧潰成形されることによって、この連結材本体２の互いに対向する２対の平面壁部２ａ，２ａ及び２ｂ，２ｂのうちの長辺側の一対の平面壁部２ｂ，２ｂと平行な平板状の圧潰扁平部３，３が形成されると共に、各圧潰扁平部３とその手前側（内方側）の非圧潰部分との境界部分には当該圧潰扁平部３の一面側と他面側の両面側に補強用リブ４，５が形成され、そして各圧潰扁平部３には接合用ボルト挿通孔６が貫設される。
【００２２】
図２の（Ａ），（Ｂ）及び図３から分かるように、連結材本体２の一端部側、例えば図３に関して左端部側の圧潰扁平部３は、この連結材本体２の軸芯Ｏに対して一定量ｅだけ偏心した位置で前記平面壁部２ｂと平行に形成されており、他端側、即ち図３に関して右端部側の圧潰扁平部３は、連結材本体２の軸芯Ｏに対して前記左端部側の圧潰扁平部３とは反対側に同じ量ｅだけ偏心した位置で前記平面壁部２ｂと平行に形成されている。
【００２３】
上記のように各圧潰扁平部３が連結材本体２の軸芯Ｏに対し一定量ｅだけ偏心して平面壁部２ｂと平行に形成されているから、図２の（Ｄ）に示すように、圧潰扁平部３と非圧潰部分との境界部分に形成される補強用リブ４，５は、この圧潰扁平部３の一面側と他面側とで高さが異なる。即ち、図２及び図３に示すように、各圧潰扁平部３の一面側に形成される補強用リブ４は、その他面側に形成される補強用リブ５よりも高さが高くなっている。尚、補強用リブ４，５は各圧潰扁平部３の両面側に夫々両側一対ずつ形成されている。
【００２４】
また図１に示すように、各圧潰扁平部３に設けられた接合用ボルト挿通孔６の周辺部には、連結材本体１の電着塗装時に、当該ボルト挿通孔６の内壁面の隙間に塗装液が入らないように密着させるためにかしめ加工が施されており、そのかしめ加工部をｋで示している。
【００２５】
図４は、上記のような構成よりなる建築用連結材１を柱脚つなぎとして使用した場合の使用例を示したもので、（Ａ）はその正面図、（Ｂ）は（Ａ）のホ−ホ線断面図である。この連結材１の使用にあたっては、コンクリート基礎１２上に立設された柱材１０の下端部に取り付けてあるガセットプレート１５にブレース１４の一端部の取付片１４ａをボルト１６止めする際に、ブレース１４の取付片１４ａをガセットプレート１５に当接させた後、この取付片１４ａに外側から本発明に係る連結材１の連結材本体２の一端部側圧潰扁平部３を当接させて、この状態で圧潰扁平部３のボルト挿通孔６からブレース１４の取付片１４ａ及びガセットプレート１５のボルト挿通孔に亘ってボルト１６を挿通し、ナット１８を螺合して締め付ければよい。
【００２６】
この図４には片方の柱材１０しか図示していないが、この柱材１０と対向する相手方の柱材にもこの柱材１０と左右対称位置にガセットプレート１５が取り付けてあって、本発明に係る建築用連結材１の連結材本体２の他端部側圧潰扁平部３が、ブレース１４一端部の取付片１４ａと共にガセットプレート１５にボルト止めされることになる。
【００２７】
以上説明した本発明に係る建築用連結材１は、断面長方形の角形鋼管材からなる連結材本体２の両端部が金型を使用したプレス加工により圧潰成形されることによって、この連結材本体２の互いに対向する２対の平面壁部２ａ，２ａ及び２ｂ，２ｂのうちの長径側の一対の平面壁部２ｂ，２ｂと平行な圧潰扁平部３，３が連結材本体２の両端部に形成されたもので、この連結材１の製作にあたって、溶接作業を一切行なわず、プレス金型の使用によって常に同じ形状の連結材製品を作製できるから、品質の安定及び精度の向上を図ることができると共に、プレス加工の自動化によって大幅なコストの削減が可能となる。
【００２８】
また、製作にあたって溶接作業が一切不要となるため、角形鋼管材としてプレメッキ品を使用することができ、それにより錆止め塗装を省略でき、作業工程の簡略化を図って、コストの低減化を図ることができる。また、溶接作業が省けることから、作業環境の改善を図ることができると共に、連結材１の品質精度の安定と向上を図ることができる。
【００２９】
また、本発明に係る連結材１の製作にあたって、丸形鋼管材を使用せず、角形鋼管材を使用するのは、丸形鋼管材と角形鋼管材とが同じ断面積を有するものとした場合、丸形鋼管材よりも角形鋼管材の方が連結材本体２の幅Ｗ（図１参照）を狭くすることができるからである。即ち、これは、連結材１をスペースが制約された壁内に納める時に、連結材本体２の幅が広いと、その壁内に納まらない場合が生じるため、連結材本体２の幅Ｗはできるだけ狭い方がよいからである。
【００３０】
また、角形鋼管材からなる連結材本体２の端部に形成される圧潰扁平部３は、角形鋼管材の端部がプレス加工により圧潰されて一枚の平板状に完全に圧潰されたものであから、そのプレス加工後に連結材本体２に電着塗装を施すような場合に塗装液が内部に入り込むことがない。特に、接合用ボルト挿通孔６の周辺部は、その孔６の内壁面の隙間から塗装液が入り込み易いため、かしめ加工が施されて更に密着一体化されている。
【００３１】
特に、この建築用連結材１では、連結材本体２の圧潰扁平部３とその手前側の非圧潰部分との境界部分に補強用リブ４，５が一体に形成されているから、連結材１の使用に際して連結材本体２に圧縮力が作用する時、上記境界部分での強度の低下を防止でき、その境界部分での座屈変形を防止できる。
【００３２】
また、この連結材１のように、連結材本体２の一端部側の圧潰扁平部３が軸芯Ｏに対して一定量ｅだけ偏心した位置で平面壁部２ｂと平行に形成され、他端側の圧潰扁平部３が軸芯Ｏに対して前記一端部側の圧潰扁平部３と反対側に同じ量ｅだけ偏心した位置で平面壁部２ｂと平行に形成されているのは、使用にあたり連結材１の配置される空間部での納まりを良くするためであって、図４の（Ｂ）から分かるように、一方側の柱材１０のガセットプレート１５に対しては、偏した圧潰扁平部３の内側面側をガセットプレート１５の外側面に取り付け、図示は省略するが、他方側の柱材１０のガセットプレート１５に対しては、偏した反対側の圧潰扁平部３の外側面側をガセットプレート１５の内側面に取り付けることにより、連結材１を両柱材１０，１０間の軸芯に沿って納まり良く配設することができる。
【００３３】
図５は、断面長方形の角形鋼管材からなる連結材本体２の端部に設けられる圧潰扁平部３が連結材本体２の平面壁部２ｂ側に偏ってそれと面一状となるように形成された本発明の建築用連結材１１を示すもので、（Ａ）は連結材本体２の一端側の圧潰扁平部３を示す斜視図、（Ｂ）はその端面図である。この連結材１１では、（Ｂ）から分かるように、補強用リブ４が圧潰扁平部３の一面側のみに形成されることになる。この連結材１では、連結材本体２の両端部に圧潰扁平部３が形成される場合には、両圧潰扁平部３，３は、図３の連結材１と同様に互いに反対側に偏って形成される。従って、そのような連結材２１の場合には、図４に示すような脚柱つなぎとして使用する時に、両柱材１０，１０間への納まり具合が非常に良好となる。
【００３４】
図６は、断面長方形の角形鋼管材からなる連結材本体２の端部に設けられる圧潰扁平部３が当該連結材本体２の軸芯Ｏを通って平面壁部２ｂと平行に形成された本発明の建築用連結材２１を示したもので、（Ａ）は連結材本体２の一端側の圧潰扁平部３を示す斜視図であり、（Ｂ）は端面図である。この連結材２１は、圧潰扁平部３が連結材本体２の軸芯Ｏを通って平面壁部２ｂと平行に形成されるから、その断面形状が軸芯Ｏを中心とした対称形状となり、連結材本体２の各圧潰扁平部３と非圧潰部分との境界部分に形成される補強用リブ４は、（Ｂ）から分かるように圧潰扁平部３の両面側で同じ高さに形成されることになる。
【００３５】
図７は、断面長方形の角形鋼管材からなる連結材本体２の端部に設けられる圧潰扁平部３が当該連結材本体２の相対向する２対の平面壁部２ａ，２ａ，２ｂ，２ｂのうち断面長方形の短辺側の一対の平面壁部２ａ，２ａと平行に形成された本発明の建築用連結材３１を示したもので、（Ａ）は連結材本体２の一端側の圧潰扁平部３を示す斜視図、（Ｂ）はその端面図である。
【００３６】
図８は、本発明に係る更に他の建築用連結材４１を示す。この連結材４１は、断面長方形の角形鋼管材からなる連結材本体２の一端部側の圧潰扁平部３が当該連結材本体２の軸芯Ｏを通って断面長方形の短辺側の一対の平面壁部２ｂ，２ｂと平行に形成され、他端部側の圧潰扁平部３は当該連結材本体２の軸芯Ｏを通って短辺側の一対の平面壁部２ａ，２ａと平行に形成されている。つまり、この連結材４１では、連結材本体２の一端部側の圧潰扁平部３と他端部側の圧潰扁平部３とは互いに９０度位相がずれるように形成されている。
【００３７】
上述した建築用連結材１，１１，２１，３１，４１は、何れも、連結材本体２の圧潰扁平部３と非圧潰部分との境界部分に補強用リブ４（又は４，５）が形成されたものであるが、図９に示す建築用連結材５１は、断面長方形の角形鋼管材からなる連結材本体２の端部（仮想線で示す部分）がプレス加工により圧潰されて圧潰扁平部３を形成しただけで、補強用リブは形成しておらず、圧潰扁平部３と非圧潰部分との境界部分は両面ともに緩やかな勾配部１９を形成している。
【００３８】
以上説明した実施形態の建築用連結材１，１１，２１，３１，４１は、何れも連結材本体２が短辺側平面壁部２ａと長辺側平面壁部２ｂとで断面長方形を成す角形鋼管材からなる場合であるが、もちろん、このような断面長方形の角形鋼管材に限らず、断面正方形の角形鋼管材を使用してもよい。また、上述した建築用連結材１，１１，２１，３１，４１では、各連結材本体２の両端部に圧潰扁平部３を形成するように説明したが、圧潰扁平部３は連結材本体２の両端部の何れか一端部のみに形成してもよい。
【図面の簡単な説明】
【００３９】
【図１】本発明に係る建築用連結材の一実施形態を示す斜視図である。
【図２】（Ａ）は図１の矢印イから見た連結材の一部平面図、（Ｂ）は図１のロ−ロ線断面図、（Ｃ）は図１のハ−ハ線断面図、（Ｄ）は図１のニ−ニ線断面図である。
【図３】図３は連結材の全体を示す平面図である。
【図４】本発明の建築用連結材を柱脚つなぎとして使用した場合の使用例を示し、（Ａ）はその正面図、（Ｂ）は（Ａ）のホ−ホ線断面図である。
【図５】本発明に係る建築用連結材の他の実施形態を示し、（Ａ）は斜視図、（Ｂ）は端面図である。
【図６】本発明に係る建築用連結材の更に他の実施形態を示し、（Ａ）は斜視図、（Ｂ）は端面図である。
【図７】本発明に係る建築用連結材の更に他の実施形態を示し、（Ａ）は斜視図、（Ｂ）は端面図である。
【図８】本発明に係る建築用連結材の更に他の実施形態を示す正面図である。
【図９】更に他の実施形態による建築用連結材を示す斜視図である。
【図１０】従来の脚柱つなぎの使用状態を示す斜視図である。
【図１１】（Ａ）は図１０に示す角形鋼管材からなる従来の脚柱つなぎの拡大斜視図、（Ｂ）は丸形鋼管材からなる従来の脚柱つなぎの拡大斜視図である。
【符号の説明】
【００４０】
１                建築用連結材
２                連結材本体
２ａ              連結材本体の短辺側平面壁部
２ｂ              連結材本体の長辺側平面壁部
３                圧潰扁平部
４，５            補強用リブ
６                連結用のボルト挿通孔
Ｏ                軸芯
１１              建築用連結材
２１              建築用連結材
３１              建築用連結材
４１              建築用連結材
５１              建築用連結材
【図１】
2005097832.tif 000003
【図２】
2005097832.tif 000004
【図３】
2005097832.tif 000005
【図４】
2005097832.tif 000006
【図５】
2005097832.tif 000007
【図６】
2005097832.tif 000008
【図７】
2005097832.tif 000009
【図８】
2005097832.tif 000010
【図９】
2005097832.tif 000011
【図１０】
2005097832.tif 000012
【図１１】
2005097832.tif 000013